(57)【要約】【課題】本発明は、中芯が螺旋ばねで直接付勢されておらず、しかも中芯が回転しながら出没するタイプであっても、第１の中芯(例えば油性インクの中芯)と、第１の中芯に対して内径及び外径が大きい第２の中芯(例えばゲルインクの中芯)とが選択的に装着可能であって、第１及び第２の中芯の抜けを確実に防止するようにした筆記具を提供する。【解決手段】筆記具１は、第１の中芯Ａと、第２の中芯Ｂと選択的に保持可能な中芯保持部１２には、第１の中芯Ａの後端が当接する底部１２ｃと、底部１２ｃから立設して第１の中芯Ａの後端開口から圧入される中芯保持ピン３０と、底部１２ｃより前方に位置し、中芯保持部１２の内壁面から突出して第２の中芯Ｂの外周面に圧着される突出部３１と、突出部３１の後方で中芯保持部１２の内壁面に形成されて、第２の中芯Ｂの後端が当接する第１の段差部３２と、が設けられている。【選択図】図６
2011073334.tif 000002
【特許請求の範囲】
【請求項１】
第１の中芯と、前記第１の中芯に対して内径及び外径が大きい第２の中芯と、を中芯保持部に対して選択的に保持可能な筆記具であって、
有底の筒形状をなす前記中芯保持部には、
底部から立設して前記第１の中芯の後端開口から圧入される中芯保持ピンと、
前記底部より前方に位置し、前記中芯保持部の内壁面から突出して前記第２の中芯の外周面に圧着される突出部と、が設けられていることを特徴とする筆記具。
【請求項２】
前記中芯保持部の内壁面には、前記突出部の後方で膨出して前記第２の中芯の後端が当接する第１の段差部が設けられていることを特徴とする請求項１記載の筆記具。
【請求項３】
前記中芯保持ピンの途中には、膨出して前記第１の中芯の後端が当接する第２の段差部が設けられていることを特徴とする請求項１又は２記載の筆記具。
【請求項４】
前記中芯保持部は、筒部の内壁面に沿って摺動及び回転する前記中芯保持部の先端と、前記筒部の内壁面から突出するばね受け部との間に配置された螺旋ばねによって後方に向かって付勢されていることを特徴とする請求項１〜３の何れか一項に記載の筆記具。
【発明の詳細な説明】
【技術分野】
【０００１】
本発明は、第１の中芯(例えば油性インクの中芯)と、第１の中芯に対して内径及び外径が大きい第２の中芯(例えばゲルインクの中芯)と、を中芯保持部に対して選択的に保持可能な筆記具に関するものである。
【背景技術】
【０００２】
第１の中芯(例えば油性インクの中芯)と、第１の中芯に対して内径及び外径が大きく且つ長さが短い第２の中芯(例えばゲルインクの中芯)とを選択的に装着可能な筆記具として、特開平１１−２５４８７８号公報がある。この公報に記載された筆記具において、尾栓又はノック体には、径の小さな第１の中芯の後端側の差込みを可能にする係合孔が形成されている。従って、第１の中芯の後側を、尾栓又はノック体の係合孔内に挿入することで、第１の中芯を、尾栓又はノック体内で係止させることができる。また、径の大きな第２の中芯の後側は、尾栓又はノック体の端面に係止させられる。このようにして、第１の中芯(例えば油性インクの中芯)と、第１の中芯に対して内径及び外径が大きく且つ長さが短い第２の中芯(例えばゲルインクの中芯)との適用が可能になっている。そして、これら中芯は、軸筒の前側でコイルスプリングにより直接付勢させているので、中芯は、尾栓又はノック体でしっかりと保持する必要がない。
【先行技術文献】
【特許文献】
【０００３】
【特許文献１】特開平１１−２５４８７８号公報
【発明の概要】
【発明が解決しようとする課題】
【０００４】
しかしながら、前述した公知の筆記具は、第１の中芯(例えば油性インクの中芯)と、第１の中芯に対して内径及び外径が大きく且つ長さが短い第２の中芯(例えばゲルインクの中芯)とを選択的に適用可能になっているが、コイルスプリングで中芯を付勢しないタイプの筆記具として利用することを予定していない。特に、中芯が回転しながら筆記具の先端から出没するタイプの筆記具にあっては、回転子として機能する中芯保持部に中芯をしっかりと保持させる必要がある。
【０００５】
本発明は、中芯が螺旋ばねで直接付勢されておらず、しかも中芯が回転しながら出没するタイプであっても、第１の中芯(例えば油性インクの中芯)と、第１の中芯に対して内径及び外径が大きい第２の中芯(例えばゲルインクの中芯)とが選択的に装着可能であって、第１及び第２の中芯の抜けを確実に防止するようにした筆記具を提供することを目的とする。
【課題を解決するための手段】
【０００６】
本発明は、第１の中芯と、第１の中芯に対して内径及び外径が大きい第２の中芯と、を中芯保持部に対して選択的に保持可能な筆記具であって、
有底の筒形状をなす中芯保持部には、
底部から立設して第１の中芯の後端開口から圧入される中芯保持ピンと、
底部より前方に位置し、中芯保持部の内壁面から突出して第２の中芯の外周面に圧着される突出部と、が設けられていることを特徴とする。
【０００７】
この筆記具において、第１の中芯(例えば油性インクの中芯)は、その後端開口から中芯保持部の中芯保持ピンが圧入され、第２の中芯(例えばゲルインクの中芯)は、その外周面に中芯保持部の突出部が圧着されることになる。このように構成することで、中芯保持部を交換することなく、タイプの異なる２種類の中芯を選択的に適用することができ、第１及び第２の中芯の抜けを確実に防止することができる。
【０００８】
また、中芯保持部の内壁面には、突出部の後方で膨出して第２の中芯の後端が当接する第１の段差部が設けられていると好適である。
このような構成によって、太くて短い第２の中芯を容易に適用させることができる。
【０００９】
また、中芯保持ピンの途中には、膨出して第１の中芯の後端が当接する第２の段差部が設けられていると好適である。
このような構成によって、細くて短い第１の中芯を容易に適用させることができる。
【００１０】
また、中芯保持部は、筒部の内壁面に沿って摺動及び回転する中芯保持部の先端と、筒部の内壁面から突出するばね受け部との間に配置された螺旋ばねによって後方に向かって付勢されていると好適である。
この構成は、中芯が螺旋ばねで直接付勢されておらず、中芯保持部が回転子として機能しており、本発明は、このような構成の筆記具に特に効果的である。
【発明の効果】
【００１１】
本発明によれば、中芯が螺旋ばねで直接付勢されておらず、しかも中芯が回転しながら出没するタイプであっても、第１の中芯(例えば油性インクの中芯)と、第１の中芯に対して内径及び外径が大きい第２の中芯(例えばゲルインクの中芯)とが選択的に装着可能であって、第１及び第２の中芯の抜けを確実に防止することができる。
【図面の簡単な説明】
【００１２】
【図１】本発明に係る筆記具の一実施形態を示す断面図である。
【図２】ノック後の筆記具を示す断面図である。
【図３】中芯保持ユニットを示す断面図である。
【図４】中駒内に螺旋ばねを収容した状態を示す斜視図である。
【図５】ノック機構を示す概略図である。
【図６】(ａ)は、中芯保持部の正面図、(ｂ)は、中芯保持部の背面図、(ｃ)は、図６(ｂ)のＩ−Ｉ線に沿う断面図である。
【図７】図６(ｂ)のＩＩ−ＩＩ線に沿う断面図である。
【図８】中芯保持部に第１の中芯を装着した状態を示す断面図である。
【図９】中芯保持部に第２の中芯を装着した状態を示す断面図である。
【図１０】中芯保持部の他の例を示す断面図である。
【図１１】中芯保持部の更に他の例を示す断面図である。
【発明を実施するための形態】
【００１３】
以下、図面を参照しつつ本発明に係る筆記具の好適な実施形態について詳細に説明する。なお、ペン先側を「前方側」として以下説明する。
【００１４】
図１に示すように、筆記具１は、ノック式であり、中芯(リフィール)３を収容する合成樹脂製の軸筒(筒部)２を有している。この軸筒２は、クリップ４が一体的に形成された軸部本体２ａと、軸部本体２ａの先端に螺着された先口２ｂとからなる。軸筒２の後端には、中芯３を軸筒２の先端から出し入れさせるためのノックキャップ１７が突出し、軸筒２の握り部分には、ゴム製のグリップ部７が固着されている。
【００１５】
外殻をなす軸筒２の軸部本体２ａ内には、中芯保持ユニット１０が装填されている。図３に示すように、この中芯保持ユニット１０は、軸部本体２ａの内壁面２ａＡに沿って固定される円筒状の中駒１１(筒部)と、中駒１１の内壁面１１ａに沿って摺動自在で中芯３の後端を保持するための円筒状の中芯保持部１２と、中芯保持部１２を軸部本体２ａの後端側に向かって付勢する螺旋ばね１３と、中駒１１に取り付けられると共に、中芯保持部１２を螺旋ばね１３の付勢力に抗して押圧するノック部６と、を備えている。
【００１６】
ノック部６は、中駒１１の後端から突出するノック棒であり、ノック棒６の後端は、軸部本体２ａから突出する円筒状のノックキャップ１７の前端側に挿入されて、係止させられている。ノック棒６の前端の外周面には、段部６ｂが形成され、中駒１１の後端には縮径部１１ｅが形成され、ノック棒６の段部６ｂが中駒１１の縮径部１１ｅに当接することで、ノック棒６の抜け止めが図られている。
【００１７】
中芯保持ユニット１０はノック機構２０を有し、図５に示すように、ノック機構２０は、ノック棒６の先端で環状に配列されて二等辺三角形をなす山形歯部６ａと、回転子として中駒１１内で周方向に回転する中芯保持部１２の周面から径方向に突出する突条部２１と、中駒１１の内壁面１１ａに形成されて、突条部２１の端部が係止させられる２段の鋸歯部１１ｂと、中駒１１の内壁面に形成されて、２個一組の鋸歯部１１ｂの間で軸線Ｌ方向に延在するスライド溝１１ｃとから構成され、突条部２１及びスライド溝１１ｃは周方向に１２０度毎に形成されている。そして、突条部２１の端部には傾斜面２１ａが形成され、この傾斜面２１ａは、中芯３を没入状態から突出させる際には山形歯部６ａに係合し、中芯３の突出時には、鋸歯部１１ｂに係合する。
【００１８】
ノック機構２０の動作について簡単に説明すると、図５(ａ)に示すように、ノックキャップ１７を指で押すことにより、ノック棒６が前進し、山形歯部６ａの頂部近傍で突条部２１の傾斜面２１ａが押されることで、中芯保持部１２が前進する。このとき、スライド溝１１ｃに沿って突条部２１が摺動する。そして、図５(ｂ)に示すように、ノックキャップ１７を押し続けると、スライド溝１１ｃから突条部２１が外れ、螺旋ばね１３の付勢力により突条部２１の傾斜面２１ａが山形歯部６ａの斜面に沿って僅かに移動し、これに伴って中芯保持部１２が僅かに回動する。
【００１９】
その後、図５(ｃ)に示すように、ノックキャップ１７から指を離すようにすると、螺旋ばね１３の付勢力により突条部２１が後退する。このとき、上流側の鋸歯部１１ｂの頂部に突条部２１の傾斜面２１ａが係合し、上流側の鋸歯部１１ｂの傾斜面に沿って突条部２１の傾斜面２１ａが移動し、これに伴って中芯保持部１２が回動する。そして、鋸歯部１１ｂ間の谷部１１ｆに突条部２１の傾斜面２１ａが係止させられることで、中芯保持部１２の回動と後退が止まる。これによって、図２に示すように、中芯３の先端が先口２ｂから突出し、筆記状態になる。
【００２０】
図５(ｄ)に示すように、筆記状態からノックキャップ１７を押すと、山形歯部６ａの頂部近傍で突条部２１の傾斜面２１ａが押されることで、中芯保持部１２が前進する。このとき、鋸歯部１１ｂ間の直立面１１ｄに沿って突条部２１が摺動する。そして、ノックキャップ１７を押し続けると、鋸歯部１１ｂから突条部２１が外れ、螺旋ばね１３の付勢力により突条部２１の傾斜面２１ａが山形歯部６ａの斜面に沿って僅かに移動し、これに伴って中芯保持部１２が僅かに回動する。
【００２１】
その後、ノックキャップ１７から指を離すようにすると、螺旋ばね１３の付勢力により突条部２１が後退する。このとき、下流側の鋸歯部１１ｂの頂部に突条部２１の傾斜面２１ａが係合し、下流側の鋸歯部１１ｂの傾斜面に沿って突条部２１の傾斜面２１ａが移動し、これに伴って中芯保持部１２が回動する。そして、突条部２１が次位のスライド溝１１ｃ内に落ち込むことで、中芯保持部１２が後退する。これにより、図１に示すように、中芯３の先端が先口２ｂ内に入り込む。
【００２２】
このようなノック機構２０は、特許第４１５３３１４号公報などから公知である。
【００２３】
図３及び図４に示すように、円筒状の中駒１１には、中芯保持部１２より前方に位置する爪片(ばね受け部)２３が形成されている。爪片２３は、中駒１１の周方向に１８０度毎に設けられ、軸線Ｌ方向に延在する爪片２３は、射出成形時に中駒１１にコ字状のスリット２４を形成することで作り出されている。各爪片２３の先端２３ａは、中芯保持部１２の先端１２ａと対向し、爪片２３の先端２３ａと中芯保持部１２の先端１２ａとで螺旋ばね１３の端部が保持されている。このような爪片２３は、中駒１１の一部をなし、軸線Ｌに沿って延在する状態から、内側に向かって「く」の字状に折り曲げられている。
【００２４】
このような中芯保持ユニット１０の組立てにあたって、先ず、中駒１１の先端開口からノック棒６を挿入し、続いて中芯保持部１２を挿入する。その後、螺旋ばね１３を挿入し、中駒１１の先端開口から偏平なばね押し棒２６を挿入して、螺旋ばね１３を圧縮した状態にする。その後、爪片２３を「く」の字状に折り曲げるようにして、爪片２３の先端２３ａを中駒１１内に入れ込む。このように、爪片２３を内側に向かって「く」の字状に折り曲げるだけで、爪片２３の先端２３ａで螺旋ばね１３が係止され、これによって中駒１１の先端開口から螺旋ばね１３が抜け落ちることがない。中駒１１の一部として内側に折り曲げ可能な爪片２３を採用すると、螺旋ばね１３を支持する部品を別途必要としないので、構造の簡素化を可能にし、コスト低減や軽量化を図ることができる。
【００２５】
更に、爪片２３の外表面には、軸筒２の内壁面２ａＡに当接する半球状の突起部２３ｂが形成されている。従って、中芯保持ユニット１０を軸筒２内に挿入すると、爪片２３の突起部２３ｂの飛び出しが軸筒２の内壁面２ａＡによって規制され続けるので、筆記具１の組立て中や組立て後に、爪片２３の先端２３ａで螺旋ばね１３を確実に係止させ続けることができ、螺旋ばね１３の脱落を確実に防止することができる。
【００２６】
また、中駒１１の外壁面には、リング状の係止凸部２８が２本形成され、軸筒２の内壁面２ａＡには、それぞれの係止凸部２８が嵌合して係止させられるリング状の凹部２７が形成されている。従って、中芯保持ユニット１０を軸筒２に沿って挿入すると、軸筒２の凹部２７内に中駒１１の係止凸部２８が入り込むので、軸筒２内で中芯保持ユニット１０をワンタッチで簡単に固定させることができる。このような構成は、爪片２３の突起部２３ｂの採用と相俟って、中芯保持ユニット１０における軸筒２内でのワンタッチ装着を可能にし、組立て作業性の向上が図られている。
【００２７】
次に、中芯保持部１２について詳細に説明する。
【００２８】
図６及び図７に示すように、回転子として機能する中芯保持部１２は、例えば油性インクが充填された第１の中芯Ａ(図８参照)と、例えばゲルインクが充填されて、第１の中芯に対して内径及び外径が大きく且つ長さが短い第２の中芯Ｂ(図９参照)と、を選択的に保持が可能である。
【００２９】
中芯保持部１２は、有底の筒形状をなし、軸線Ｌに沿った中芯挿入穴１２ｂを有している。第１の中芯Ａは、この中芯挿入穴１２ｂの底部１２ｃまで入り込み、第２の中芯Ｂは、中芯挿入穴１２ｂが後述の第１の段差部３２に当接するまで入り込む。
【００３０】
中芯挿入穴１２ｂの底部１２ｃから中芯保持ピン３０が立設され、この中芯保持ピン３０は、断面正方形状に形成されると共に、中芯挿入穴１２ｂの半分程度まで突出している。さらに、中芯保持ピン３０の先端には、第１の中芯Ａの後端開口ａ内への挿入を容易にするために、正四角錐台に形成されている。
【００３１】
さらに、中芯保持部１２の内壁面１２ｄには、底部１２ｃより前方に位置し、中芯保持部１２の内壁面１２ｄから径方向に突出して第２の中芯Ｂの外周面に圧着される突出部３１と、突出部３１の後方で中芯保持部１２の内壁面１２ｄに形成されて、径方向に膨出することで第２の中芯Ｂの後端が当接する第１の段差部３２と、が設けられている。
【００３２】
突出部３１は、１８０度の位相角度をもって内周面１２ｄに形成されると共に、軸線Ｌに沿って延在する平坦な圧入面３１ａを有している。平坦な圧入面３１ａによって第２の中芯Ｂの外表面を突出部３１に確実に圧着させることができる。突出部３１の前端には、傾斜面３１ｂが形成され、第２の中芯Ｂの圧入を容易にしている。
【００３３】
第１の段差部３２は、軸線Ｌ方向に延在する内壁面１２ｄの後端側を縮径することで形成され、この第１の段差部３２は、中芯保持ピン３０の前端より後方に位置している。そして、第１の中芯Ａと第２の中芯Ｂとの長さに対応して、第１の段差部３２と底部１２ｃとの間隔が設定されている。
【００３４】
図８に示すように、第１の中芯(例えば油性インクの中芯)Ａは、その後端開口ａから中芯保持部１２の中芯保持ピン３０が圧入される。このとき、中芯保持ピン３０の角部３０ａが、第１の中芯Ａの内壁面に食い込むようにして圧着され、角部３０ａは、第１の中芯Ａの内壁面に対して略線接触状態になっているので、中芯保持ピン３０を第１の中芯Ａにスムーズに圧入させることができる。そして、第１の中芯Ａの後端が底部に当接して、第１の中芯Ａが位置決めされる。
【００３５】
図９に示すように、第２の中芯(例えばゲルインクの中芯)Ｂの外周面は、中芯保持部１２の突出部３１の平坦な圧入面３１ａに圧着される。そして、第２の中芯Ｂの後端が第１の段差部３２に当接して、第２の中芯Ｂが位置決めされる。
【００３６】
このように構成することで、中芯保持部１２を交換することなく、細くて長い第１の中芯Ａと、太くて短い第２の中芯Ｂとを選択的に適用することができ、第１及び第２の中芯Ａ，Ｂの抜けを確実に防止することができる。
【００３７】
本発明は、前述した実施形態に限定されないことは言うまでもない。
【００３８】
図１０に示すように、他の中芯保持部４０には、第１の段差部３２が設けられておらず、第２の中芯Ｂの後端は、底部１２ｃに当接する。従って、同じ長さを有する細い第１の中芯Ａと、太い第２の中芯Ｂとを選択的に適用することができる。なお、他の構成は、中芯保持部１２と同様である。
【００３９】
図１１に示すように、他の中芯保持部５０には、第１の段差部３２が設けられておらず、第２の中芯Ｂの後端は、底部１２ｃに当接する。さらに、中芯保持ピン５１の途中には、径方向に膨出して第１の中芯Ａの後端が当接する第２の段差部５２が設けられている。従って、細くて短い第１の中芯Ａと、太くて長い第２の中芯Ｂとを選択的に適用することができる。なお、他の構成は、中芯保持部１２と同様である。
【００４０】
筒部としては、軸筒２と中駒１１とがあり、何れに爪片(ばね受け部)２３が設けられていても良い。
【００４１】
本発明は、中芯が螺旋ばねで直接付勢されているタイプの筆記具や、中芯が回転しないで出没するタイプの筆記具であっても適用可能である。
【００４２】
本発明は、ノック式の筆記具に限定されず、軸筒の回転と一緒に中芯保持部が回転して中芯が出没するタイプの筆記具にも適用でき、また、中芯保持部が尾栓に一体に形成されて、中芯が出没しないタイプの筆記具にも適用できる。
【００４３】
図示しない他の中芯保持部としては、前述した第１の段差部３２と第２の段差部５２との両方が形成されていてもよい。
【符号の説明】
【００４４】
１…筆記具、２…軸筒(筒部)、１１…中駒(筒部)、１２，４０，５０…中芯保持部、１２ｃ…底部、１２ｄ…内壁面(内周面)、２３…爪片(ばね受け部)、１３…螺旋ばね、３０，５１…中芯保持ピン、３１…突出部、３２…第１の段差部、５２…第２の段差部、Ａ…第１の中芯、Ｂ…第２の中芯、ａ…後端開口、Ｌ…軸線。
【図１】
2011073334.tif 000003
【図２】
2011073334.tif 000004
【図３】
2011073334.tif 000005
【図４】
2011073334.tif 000006
【図５】
2011073334.tif 000007
【図６】
2011073334.tif 000008
【図７】
2011073334.tif 000009
【図８】
2011073334.tif 000010
【図９】
2011073334.tif 000011
【図１０】
2011073334.tif 000012
【図１１】
2011073334.tif 000013